(57)【要約】【課題】ユーザが容易に認識することができるように使用可能な機能を表示する携帯電話機を得る。【解決手段】操作部と、表示部６と、通信部と、複数の機能をロック状態または非ロック状態に設定可能なロック機能設定制御部を備える携帯電話機１であって、前記ロック機能設定制御部は、前記操作部あるいは外部からの設定信号に応じて前記ロック状態または非ロック状態の機能設定をし、該機能設定された前記複数の機能の状態を一つのアイコン３１として前記表示部６の表示画面に表示する。【選択図】図３
2010045454.tif 000002
【特許請求の範囲】
【請求項１】
操作部と、
表示部と、
通信部と、
複数の機能をロック状態または非ロック状態に設定可能なロック機能設定制御部を備える携帯電話機であって、
前記ロック機能設定制御部は、前記操作部あるいは外部からの設定信号に応じて前記ロック状態または非ロック状態の機能設定をし、該機能設定された前記複数の機能の状態を一つのアイコンとして前記表示部の表示画面に表示することを特徴とする携帯電話機。
【請求項２】
前記ロック機能設定制御部は、
前記複数の機能のうちの所定の機能に対してロック状態または非ロック状態に設定する前記設定信号を受け付けると、
前記所定の機能に関連付けられた機能群を、群としてロック状態または非ロック状態の群機能設定をすることを特徴とする請求項１に記載の携帯電話機。
【請求項３】
前記アイコンが電話機の形状、色彩および大きさであることを特徴とする請求項１に記載の携帯電話機。
【請求項４】
前記アイコンが文字、文字の色彩および大きさであることを特徴とする請求項１に記載の携帯電話機。
【請求項５】
前記機能は、少なくとも通話機能、メール機能、ＷＥＢ機能、アドレス帳機能、鳴動機能、閲覧機能、編集機能、履歴参照機能、ゲーム機能、撮像機能、視聴機能、再生機能、および録音機能のいずれか一つの機能であることを特徴とする請求項１に記載の携帯電話機。
【発明の詳細な説明】
【技術分野】
【０００１】
本発明は、企業等の会社組織が所有し、当該会社に勤務している社員が使用する携帯電話機に関する。
【背景技術】
【０００２】
携帯電話機は、発信規制や着信規制を行う機能を有しており、ユーザ自らが用途に応じて前述の機能を設定している。また、会社などの組織が所有する携帯電話機を、組織構成員即ち会社員等に所持させるときには、例えば特許文献１に記載されている携帯電話機のようにロック装置を用いて会社等の機密情報の持ち出しを防ぐようにしている。
上記の携帯電話機は、工場、研究所等の機密情報を扱う部署の出入り口に設置されたロック装置にコネクタを介して接続され、自ら備えるロック機能の設定が行なわれる。この携帯電話機は、ロック装置に行なわれた操作によってユーザが使用することのできる機能が設定される。
【０００３】
携帯電話機の使用可能な機能を制限するとき、ロック装置に予め設定されているロックレベルを用いて上記の機能制限の有無を設定している。例えば、ロックレベル１では、メール送受信機能、カメラ機能およびスピーカ機能をロックするように設定される。また、ロックレベル２では、メール送受信機能、通話機能、カメラ機能およびスピーカ機能をロックするように設定される。また、ロックレベル３では、メール送受信機能などの全機能をロックするように設定される。
【０００４】
特許文献１に記載されている携帯電話機は、前述のようなロックレベル毎に所定の機能について使用を制限し、現在使用を制限するように設定されている機能を、上記のロックレベルを表示することによってユーザに認識させている。
【０００５】
【特許文献１】特開２００５−２６９２１１号公報
【発明の開示】
【発明が解決しようとする課題】
【０００６】
しかしながら、前述の携帯電話機は、例えばロックレベルという概念で複数の機能をまとめ、現在設定されている使用禁止の機能を表すようにしているので、ユーザは、各ロックレベルによって制限される機能を予め覚えておく必要がある。ユーザが、このように携帯電話機にロックレベル等が表示されたとき、使用することのできない機能が何なのかを視覚的、もしくは直感的に認識することが難しいという問題があった。
【０００７】
本発明はかかる事情に鑑みてなされたものであり、その目的は、ユーザが容易に認識することができるように使用可能な機能を表示する携帯電話機を得ることにある。
【課題を解決するための手段】
【０００８】
本発明の第１の観点である携帯電話機は、操作部と、表示部と、通信部と、複数の機能をロック状態または非ロック状態に設定可能なロック機能設定制御部を備える携帯電話機であって、前記ロック機能設定制御部は、前記操作部あるいは外部からの設定信号に応じて前記ロック状態または非ロック状態の機能設定をし、該機能設定された前記複数の機能の状態を一つのアイコンとして前記表示部の表示画面に表示する。
【０００９】
好適には、前記ロック機能設定制御部は、前記複数の機能のうちの所定の機能に対してロック状態または非ロック状態に設定する前記設定信号を受け付けると、前記所定の機能に関連付けられた機能群を、群としてロック状態または非ロック状態の群機能設定をする。
【００１０】
好適には、前記アイコンが電話機の形状、色彩および大きさである。
【００１１】
好適には、前記アイコンが文字、文字の色彩および大きさである。
【００１２】
好適には、前記機能は、少なくとも通話機能、メール機能、ＷＥＢ機能、アドレス帳機能、鳴動機能、閲覧機能、編集機能、履歴参照機能、ゲーム機能、撮像機能、視聴機能、再生機能、および録音機能のいずれか一つの機能である。
【発明の効果】
【００１３】
本発明によれば、携帯電話機に機能の使用制限が設定されているとき、使用可の機能および使用不可の機能をユーザが容易に認識することができる。
【発明を実施するための最良の形態】
【００１４】
以下、この発明の実施の一形態を説明する。
＜第１の実施形態＞
図１は、本発明の第１の実施形態による携帯電話機の構成を示すブロック図である。図示した携帯電話機１は、外部と無線通信を行うアンテナ２、通信部３、音声入出力部４、キー操作部５、表示部６、メモリ７、鳴動部８、電源部９、制御部１０、カメラ１１、赤外線通信部１２、および、開閉検知部１３を有している。
【００１５】
アンテナ２は、図示されない基地局等と無線通信の送受信を行う通信部３に接続されている。通信部３は、制御部１０の制御に応じて外部と電波を用いた無線通信を行うように構成されている。
音声入出力部４は、図示を省略した音声入力を行うマイクと音声出力を行うスピーカとを備え、前述のマイクからの音声信号を制御部１０へ入力し、また制御部１０から出力された音声信号を前述のスピーカを用いて音声出力するように構成されている。
【００１６】
キー操作部５は、例えば押圧によって操作される複数のキースイッチによって構成されている。また、キー操作部５は、携帯電話機１の筺体側面に配設された押しボタンスイッチ、スライドスイッチ、ダイアル等を含めて構成されている。
表示部６は、例えばＬＣＤや有機ＥＬ等のディスプレイ装置を有し、制御部１０の制御によって画像やキャラクタ等の表示を行うように構成されている。
【００１７】
メモリ７は、当該携帯電話機１の動作制御に用いるプログラムやデータ等を記憶しており、制御部１０の制御によって上記のデータ等の書き込みや読み出しを行うように構成されている。
鳴動部８は、バイブレータやサウンダ等からなるアラームであり、制御部１０の制御によりユーザに着信などを報知するように構成されている。
【００１８】
電源部９は、制御部１０ならびに他の部分を動作させる電力を供給するバッテリ等である。
制御部１０は、前述のように各部の動作を制御する制御手段である。即ち、制御部１０は、携帯電話機１の動作を司るプロセッサであり、携帯電話機１が有する各機能をロック状態または非ロック状態に設定する処理および各部の動作制御を行うロック機能設定制御部１０ａを含めて構成されている。
【００１９】
カメラ１１は、キー操作部５の操作によって撮像を行い、撮像した画像データを制御部１０へ入力するように構成されている。
赤外線通信部１２は、赤外線の送受によって他の携帯電話機などと近距離データ通信を行うように構成されている。
開閉検知部１３は、例えば携帯電話機１が二つの筺体によって構成されているとき、当該２つの筺体が開状態とされているか否か、即ち制御部１０が筺体の開状態と閉状態とを識別することができるように備えられたセンサである。
【００２０】
図２は、図１の携帯電話機の外観を示す説明図である。携帯電話機１は、例えば二つの筺体２１，２２の各端部を図示されないヒンジによって接続し、筺体２１と筺体２２が開閉するように構成されている。
図２に示した携帯電話機１は、筺体２１と筺体２２とを開状態としている。筺体２１には、表示部６が配設されている。また、筺体２１には、音声入力部４のスピーカ４ａが配設されている。なお、筺体２１の図示されない背面にはカメラ１１の撮像レンズが配設されている。
【００２１】
筺体２２には、前述の複数のキースイッチを有するキー操作部５が配設されている。なお、図２および後述する各図においては筺体２２等の側方に配設される前述の各スイッチやダイアル等の図示を省略している。
また、筺体２２には、音声入出力部４のマイク４ｂが配設されている。
図２の携帯電話機１には、使用することができる機能を制限する設定がなされたときに表示部６に表示する画像、もしくはアイコンの一例として黒電話のアイコン３１を示している。
【００２２】
次に動作について説明する。
図１の携帯電話機１は、キー操作部５に行なわれた操作に応じて、制御部１０が所定のデータ、もしくはプログラム等をメモリ７から読み出して各部の動作を制御し、例えば、音声入出力部４および通信部３を稼働させて電話機能による処理動作を行う。
携帯電話機１は、前述の電話機能に加えて、例えば、電子メールの送受信を行うメール機能、通信部３等を用いたＷＥＢ機能、赤外線通信部１２等を用いたアドレス帳機能、名鳴動部８を他の各機能の処理動作に対応させて稼働する鳴動機能を有している。
また、携帯電話機１は、前述の電話機能を用いているときの通話等を録音する録音機能等を有している。
【００２３】
また、携帯電話機１は、自らに記憶保存されている様々な情報等を表示する各種閲覧機能を有している。
また、携帯電話機１は、カメラ１１によって撮像された画像データ、例えば通信部３等を用いて外部から取得した音楽データや、前述の録音機能により録音された音声データなどの各データファイルを編集する各種編集機能を有している。
【００２４】
また、携帯電話機１は、使用履歴、詳しくは発信履歴や受信履歴などの履歴参照機能を有している。
また、携帯電話機１は、ゲーム機能などを有している。
また、携帯電話機１は、カメラ１１による撮像機能、図示されないチューナなどを用いて受信したテレビならびにラジオ放送、メール添付のビデオデータ、ＷＥＢ機能により取得したビデオデータなどを再生してユーザに視聴させる視聴機能を有している。
また携帯電話機１は、前述の音楽データや音声データ等を再生する再生機能を有している。
【００２５】
携帯電話機１は、前述の各機能を使用不可能にする、即ちロックする機能を設定するとき、例えば、キー操作部５から所定の暗証コード等を入力させる。制御部１０もしくはロック機能設定制御部１０ａは、当該暗証コードを認識したとき、例えば設定者が所望する機能をロックする設定モードを起動させ、表示部６に所定の操作画面を表示させる。
【００２６】
また、ロック機能設定制御部１０ａは、前述の操作画面を用いて権限を有する設定者に所定の操作を行なわせ、当該設定者が所望する機能をロックする。
なお、携帯電話機１の機能を使用可能にする、即ち機能のロック設定を解除するときも、設定者等が暗証コード等をキー操作部５から入力し、前述の設定モードを起動させて解除設定を行う。
【００２７】
または、携帯電話機１を、例えば所定のアプリケーションソフトウエアを備えたパソコン等の設定装置に接続する。この設定装置を設定者に操作させ、当該設定装置から前述の操作内容を示す設定信号を携帯電話機１へ入力する。このようにして、設定者が所望する機能について、使用不可とするロック機能設定、あるいは使用可とするロック機能設定の解除を携帯電話機１、もしくはロック機能設定制御部１０ａに設定するようにしてもよい。
【００２８】
なお、ロック機能設定制御部１０ａは、前述のように暗証コード等が入力されたとき、あるいは前述の設定装置が接続されたときのみ、ロック機能設定の設定が行なわれるように関連する各部を制御する。また、ロック機能設定制御部１０ａは、当該携帯電話機１をユーザが通常使用を行なっているときには、機能をロックする設定を変更することができないように関連する各部の制御処理を行う。
【００２９】
ロック機能設定制御部１０ａは、前述のように携帯電話機１に外部接続された設定装置からのロック機能設定信号を入力し、当該設定信号が示す機能についてロック状態または非ロック状態となるように制御処理を行う。
あるいは、前述のように、携帯電話機１のキー操作部５に行なわれた設定操作に応じたロック機能設定信号を、制御部１０を構成するいずれかの処理部が生成する。このロック機能設定信号を入力したロック機能設定制御部１０ａは、上述のように所定の機能をロック状態または非ロック状態に設定する。
ロック機能設定制御部１０ａは、例えば上述のように設定された機能のロック状態あるいは非ロック状態を、例えば制御部１０の内部に備える記憶手段に記憶し、後述するように各機能のロック状態または非ロック状態の表示を行う。
【００３０】
ロック機能設定制御部１０ａは、上記のようにロック状態に設定された機能について、キー操作部５等に行なわれた操作を受け付けず、当該機能が稼働しないように制御部１０の内部において処理を行う。
制御部１０は、ロック機能設定制御部１０ａに設定されているように各機能に関連する、携帯電話機１を構成する各部の動作を制御する。詳しくは、使用可の機能についてのみ関連する各部の動作制御を行い、使用不可の機能に関連する各部を動作させないように処理する。
【００３１】
図２に示した携帯電話機１は、表示部６に黒電話のアイコン３１を表示している。黒電話のアイコン３１は、例えば、携帯電話機１が、電話機能のみを使用可能に設定されているときに表示される。黒電話のアイコン３１は、携帯電話機１が従来の黒電話機と同様な機能のみを使用することができる状態であることを表しており、視覚的に使用可能な機能をイメージさせる形状、色彩を有している。
【００３２】
図３は、図１の携帯電話機の動作を示す説明図である。この図は、表示部６に黒電話のアイコン３１を表示させているとき、使用制限される機能を表しており、詳しくは各機能について、使用許可または使用禁止の設定状態を表している。
図３に示したように、黒電話のアイコン３１が表示されるときには、アドレス帳機能、メール機能、発信履歴閲覧機能、受信履歴閲覧機能、ＷＥＢ機能、ゲーム機能が全て使用禁止に設定されている。即ち、このときの携帯電話機１は、従来の黒電話機と同様な通話機能のみが使用可能である。
【００３３】
ここでは、電話機能のみが使用可であることを示す黒電話のアイコン３１について説明するが、電話機の形状、色彩、大きさなどが異なる複数のアイコンを定めてもよい。例えば、これらの各アイコンについて、使用可能とする機能ならびに使用不可能とする機能を対応させて設定しておく。そして、前述の設定者によって設定されたロックする機能即ち使用を制限する機能の種別に応じて異なるアイコンを表示するようにしてもよい。
【００３４】
図４は、図３の携帯電話機の動作を示すフローチャートである。
図３の携帯電話機１のロック機能設定制御部１０ａは、当該携帯電話機１に備えられている全機能がロック状態に設定されているか否かを判定する（ステップＳＴ１０１）。
ロック機能設定制御部１０ａは、全ての機能がロック状態に設定されていると判定したとき、表示部６を制御して黒電話のアイコン３１を表示させる（ステップＳＴ１０２）。
【００３５】
また、前述のステップＳＴ１０１の工程において、全ての機能はロック状態に設定されていないと判定したとき、当該ロック機能設定制御部１０ａは黒電話のアイコン３１を表示させない。
ロック機能設定制御部１０ａは、前述のように黒電話のアイコン３１を表示することを定めたとき、例えば、開閉検知部１３の出力信号から筺体２１と筺体２２が開かれ、開状態とされたことを認識すると、表示部６に黒電話のアイコン３１を表示させる。また、筺体２１と筺体２２が閉状態とされたときには黒電話のアイコン３１の表示を消去する。なお、黒電話のアイコン３１の表示期間は、上述の期間に限定されず、例えば待ち受け画面と同様な期間に表示され、電話機能等が用いられているときには表示が消去されるようにしてもよい。
【００３６】
以上のように第１の実施形態によれば、携帯電話機１の機能のうち、電話機能を除いた他の機能が使用禁止に設定されているとき、ロック機能設定制御部１０ａが黒電話のアイコン３１を表示部６に表示するようにした。
このようにすることによって、電話機能のみが使用可能であり、他の機能は使用できないことを一つのアイコン表示によってユーザに認識させることができる。
【００３７】
＜第２の実施形態＞
本発明の第２の実施形態による携帯電話機は、前述の第１の実施形態において図１，２を用いて説明した携帯電話機１と同様に構成されている。ここでは、第２の実施形態による携帯電話機の、図１，２に示した携帯電話機１と同様な構成について重複説明を省略する。
【００３８】
次に動作について説明する。
図５は、本発明の第２の実施形態による携帯電話機の動作を示す説明図である。この図は、ロック状態にする機能を設定された携帯電話機１が、使用可の機能と使用不可の機能とを表示部６に表示した状態を示している。
図５の携帯電話機１は、図２，３に示した黒電話のアイコン３１を前述の第１の実施形態で説明したように表示する。また、この黒電話のアイコン３１を適宜消去して、携帯電話機１が備えている各機能の名称を表記したアイコン３２を表示部６の画面上に並べて表示する。
【００３９】
図５に示したアイコン３２のうち、使用を禁止された機能のアイコン３２には、例えば機能名称の表示位置に使用不可を示す「×」印を重ねて表記したアイコン３２ａが用いられている。また、使用を許可されている機能のアイコン３２には、当該機能名称のみを表記したアイコン３２ｂが用いられている。
また、前述の「×」印を用いることなく、アイコン３２ａに表記される文字の色彩と、アイコン３２ｂに表記される文字の色彩とを異なるものとして各アイコンの画像を設定しておく。このように表記文字に異なる色彩を使用し、表示部６に表示されたアイコン３２ａとアイコン３２ｂが識別されるようにしてもよい。また、アイコン３２ａの表記文字の大きさとアイコン３２ｂの表記文字の大きさを異なるように表示して、これらのアイコンが識別されるようにしてもよい。
【００４０】
図２，３に示した黒電話のアイコン３１は、例えば、開閉検知部１３の出力信号を入力した制御部１０が、筺体２１と筺体２２とが閉状態から開状態とされたことを検知したとき、当該制御部１０の制御により表示部６に表示される。
【００４１】
また、図５に示した各アイコン３２は、例えば、キー操作部６に設けられている所定の設定キー、あるいはいずれかのキーが操作されたとき、ロック機能設定制御部１０ａの制御により、数秒間だけ表示部６に表示される。また、前述の数秒間が経過した後、黒電話３１の表示に切り替えられる。あるいは、所定のキー操作により各アイコン３２が表示され、また所定のキー操作により当該アイコン３２の表示が消去され、他のアイコン表示に切り替えるようにしてもよい。
【００４２】
図６は、図５に示した携帯電話機の動作を示すフローチャートである。
ロック機能設定制御部１０ａは、図２，３に示した黒電話のアイコン３１の表示から図５に示した各機能名称を表記したアイコン３２の表示へ遷移するとき、当該アイコン３２により名称が表示される機能が、使用できないようにロック状態に設定されているか否かを判定する（ステップＳＴ２０１）。
【００４３】
ステップＳＴ２０１の工程において、制御部１０ａはロック状態に設定されていると判定した機能について「機能無効」を表すアイコン３２ａを表示部６の表示画面に表示させる（ステップＳＴ２０２）。
前述のステップＳＴ２０１の工程において、制御部１０ａはロック状態に設定されていないと判定した機能について「機能有効」を表すアイコン３２ｂを表示部６の表示画面に表示させる(ステップＳＴ２０３)。
【００４４】
図７は、図５の携帯電話機の動作を示す説明図である。この図は、図５の携帯電話機１が表示するアイコン３２を表し、ロック機能設定制御部１０ａによって制御される表示画面の一例である。
図７に示した表示データ４０は、例えばロック機能設定制御部１０ａ自ら、あるいはメモリ７に予め記憶されている各アイコン３２の表示データである。表示データ４０は、携帯電話機１が備える各機能について、各々アイコン３２ａとアイコン３２ｂとを有している。
【００４５】
表示データ４０は、赤外線通信（ｉｎｆｒａｒｅｄ  ｃｏｍｍ）機能、撮像（ｃａｍｅｒａ）機能、表示／編集（Ｊｘｘｘ）機能、ファンクション（Ｆｕｎｃｔｉｏｎ）機能の各アイコン３２ａ，３２ｂを有している。
また、表示データ４０は、データフォルダ（Ｄａｔａｆｏｌｄｅｒ）機能、アクセサリ（Ａｃｃｅｓｓｏｒｙ）機能、スケジュール（Ｓｃｈｅｄｕｌｅ）機能、アラーム（Ａｌａｒｍ）機能、メモ（Ｍｅｍｏ）機能の各アイコン３２ａ，３２ｂを有している。
【００４６】
図７に例示した表示データ４０は、黒枠で囲ったアイコン３２ａまたはアイコン３２ｂが有効、即ち使用可能に設定されていることを表している。
図７の表示データ４０は、例えばアドレス帳機能に使用される赤外線通信部１２の動作、即ち赤外線による近距離データ通信の使用が許可されている状態を示している。
【００４７】
図７の表示データ４０は、カメラ１１による撮像機能が使用禁止に設定されている状態を示している。
図７の表示データ４０は、例えばＪａｖａ（登録商標）などのアーキテクチャを用いたソフトウエアを稼働させることが禁止に設定されている状態を示している。
【００４８】
図７の表示データ４０に示されているファンクション機能は、例えば発信履歴や受信履歴の閲覧機能などを含むものである。図７は、これらの機能が禁止に設定されている状態を示している。
図７の表示データ４０に示されているデータフォルダ機能は、カメラ１１によって撮像された画像データや前述のように取得した音楽データなどをメモリ７へ記憶させるときに、他のデータと識別し易くまとめる編集機能である。図７は、データフォルダ機能の使用が許可されている。
【００４９】
図７の表示データ４０に示されたアクセサリ機能は、ゲームプログラム等を稼働させるゲーム機能などを含んでいる。図７は、このデータフォルダ機能の使用が禁止に設定されている状態を示している。
図７の表示データ４０に示されているスケジュール機能は、カレンダ機能に対応させてユーザの今後の予定を記憶させる機能である。図７は、このスケジュール機能の使用が禁止に設定されている状態を示している。
【００５０】
図７の表示データ４０に示されているアラーム機能は、例えば着信などの動作に伴って鳴動部８を動作させる機能である。図７は、このアラーム機能の使用が許可されている状態を示している。
図７の表示データ４０に示されているメモ機能は、前述のように例えば電話機能による通話音声を録音する機能である。図７は、このメモ機能の使用が禁止に設定されている状態を示している。
【００５１】
ロック機能設定制御部１０ａは、例えば、図７のように各機能について使用可あるいは使用不可が設定されているとき、前述のステップＳＴ２０１の工程およびステップＳＴ２０２の工程において、図７に示したように各機能毎にアイコン３２ａ，３２ｂのいずれかを選択する。ロック機能設定制御部１０ａは、このように選択した各アイコン３２ａ，３２ｂを図７に示したように表示部６に表示させる。
【００５２】
以上のように第２の実施形態によれば、ロック機能設定制御部１０ａが、機能の使用不可を表すアイコン３２ａと機能の使用可を表すアイコン３２ｂとを選択して表示部６へ表示するようにした。
このようにすることによって、ユーザが、ロック状態に設定された機能と非ロック状態に設定された機能とを容易に視認することができる。
【００５３】
＜第３の実施形態＞
本発明の第３の実施形態による携帯電話機は、前述の第１の実施形態において図１，２を用いて説明した携帯電話機１と同様に構成されている。ここでは、第３の実施形態による携帯電話機の、図１，２に示した携帯電話機１と同様な構成について重複説明を省略する。
【００５４】
次に動作について説明する。
図８は、本発明の第３の実施形態による携帯電話機の動作を示す説明図である。
第３の実施形態による携帯電話機１は、例えば、電話機能を除いた他の機能が全て使用禁止に設定されているときには、前述の第１の実施形態による携帯電話機１と同様に、黒電話のアイコン３１を表示する。
第３の実施形態による携帯電話機１は、大方の機能がロック状態に設定されており、また、前述の設定者によって予め選択された複数の機能が非ロック状態に設定されているときに、例えば会社名を表記したアイコン３３を表示する。
【００５５】
図８に例示した携帯電話機１は、アドレス帳機能の使用が許可され、メール機能の使用が禁止されている。また、発信履歴および受信履歴の閲覧機能の使用が許可されている。またＷＥＢ機能およびゲーム機能の使用が禁止されている。例えば、このように使用可能な機能を制限したとき、ロック機能設定制御部１０ａは、表示部６を制御して「○×株式会社」という当該携帯電話機１を所有する会社名を表記したアイコン３３を表示する。
即ち、第３の実施形態による携帯電話機１は、予め設定者によって選択された複数の機能に対応させて一つのアイコンが設定されており、設定者によってこれら複数の機能がロック状態あるいは非ロック状態に設定された場合に上述の一つのアイコンを表示する。
【００５６】
図９は、図８の携帯電話機の動作を示すフローチャートである。
第３の実施形態による携帯電話機１では、例えば当該携帯電話機１の所有者もしくは管理者である○×株式会社の設定者が、予め所望の機能の使用を禁止する設定を当該携帯電話機１に行なっておく。この設定は、前述の第１の実施形態で説明した所望の機能をロック状態に設定する操作等と同様に、暗証コードの入力などを含むキー操作部６の操作、あるいは設定装置に当該携帯電話機１を接続して行なわれる。
【００５７】
前述のように任意の機能が選択設定されている第３の実施形態の携帯電話機１において、ロック機能設定制御部１０ａは、上記の予め選択されている機能がロックされているか否かを判定する(ステップＳＴ３０１)。この判定は、前述の第１の実施形態で説明したロックされている機能の判別と同様な処理によって行なわれる。
【００５８】
ステップＳＴ３０１の工程において、選択されている全ての機能がロックされていると判定したときには、ロック機能設定制御部１０ａは、表示部６を制御して、当該表示部６の表示画面に前述の「会社」名称を表記したアイコン３３を表示させる(ステップＳＴ３０２)。
また、ステップＳＴ３０１の工程において、予め選択されている機能のうち一つでもロックされていないものがあると判定したときには、前述の「会社」名称のアイコン３３を表示させない。
【００５９】
なお、第３の実施形態による携帯電話機１においても、第２の実施形態で説明したように所定の操作等がなされたとき、アイコン３２ａ，３２ｂを表示するようにしてもよい。
また、前述のように設定者によって選択された複数の機能が、全て非ロック状態に設定され、この設定により設定者によって選択されなかった複数の機能がロック状態となったときに、当該ロック状態となっている複数の機能に対応させた一つのアイコンを表示するようにしてもよい。
【００６０】
以上のように第３の実施形態によれば、予め設定者が選択した複数の機能と一つのアイコン３３とを対応させてロック機能設定制御部１０ａに記憶設定しておく。この記憶設定されている複数の機能が、設定者によって全てロック状態また非ロック状態に設定された場合には、ロック機能設定制御部１０ａが一つのアイコン３３を表示部６に表示させるようにした。
このようにすることによって、予め選択された複数の機能が使用可あるいは使用不可であることを一つのアイコン３３を用いてユーザに視認させることができ、容易に使用可または使用不可の各機能を認識させることができる。
【００６１】
また、第１の実施形態〜第３の実施形態の携帯電話機１において、予め、例えば設定者の操作によって選択された任意の機能をロック機能設定制御部１０ａに記憶させる。さらに設定者が上記の選択された機能に対して他の機能を関連付けてロック機能設定制御部１０ａに記憶させる。
その後、ロック機能設定制御部１０ａに対して外部からロック状態設定信号が入力され、前述の任意の機能に対してロック状態あるいは非ロック状態とする設定が行なわれる。このとき、ロック機能設定制御部１０ａが、前述の関連付けられた機能に対しても同様に、ロック状態または非ロック状態とする設定を行なうようにしてもよい。
なお、上記の関連付けられた機能は複数の機能であってもよく、ロック機能設定制御部１０ａは、関連付けられた機能群に対してロック状態または非ロック状態の群機能設定をするようにしてもよい。
【００６２】
具体的には、例えば、キー操作部５の操作によってロック機能設定制御部１０ａにアドレス帳機能の使用を禁止する設定が行なわれ、当該アドレス帳機能がロック状態となる。すると、ロック機能設定制御部１０ａは、発信履歴および受信履歴の閲覧機能の使用を禁止し、当該閲覧機能をロック状態とする。このように、任意の機能の使用を禁止する目的や用途等において関連する複数機能を自動的に使用制限するようにしてもよい。このとき、予め、任意の機能に対して所定の条件等に基づいて関連付けられた機能を、例えばロック機能設定制御部１０ａ自らに記憶設定しておく。
また、ロック機能設定制御部１０ａは、任意の機能について非ロック状態にする設定がなされたときには、上記の任意の機能に関連付けられた機能を非ロック状態に設定する。
【００６３】
以上のようにロック機能設定制御部１０ａが、任意の機能がロック状態または非ロック状態に設定されたとき、上記の任意の機能に関連付けられている機能群に対しても同様にロック状態また非ロック状態に設定するようにした。
このようにすることによって、携帯電話機１の機能の使用を制限する目的に応じて、複数の機能を簡便にロック状態または非ロック状態に設定することができる。
【００６４】
なお、上述の各実施形態では、携帯電話機において一つのアイコン表示を行い、複数の機能について使用可または使用不可を表す技術を説明したが、このようなアイコン表示によって使用可能な機能または使用不可能な機能を表すことをＰＤＡ、カーナビゲーション装置、ゲーム機等の表示部を有する電子機器に適用してもよい。このように一つのアイコンによって複数の機能を連想させることにより、上記のような電子機器においても速やかにユーザに対して使用可能な機能または使用不可能な機能を認識させることが可能になる。
【図面の簡単な説明】
【００６５】
【図１】本発明の第１の実施形態による携帯電話機の構成を示すブロック図である。
【図２】図１の携帯電話機の外観を示す説明図である。
【図３】図１の携帯電話機の動作を示す説明図である。
【図４】図３に示した携帯電話機の動作を示すフローチャートである。
【図５】本発明の第２の実施形態による携帯電話機の動作を示す説明図である。
【図６】図５の携帯電話機の動作を示すフローチャートである。
【図７】図５の携帯電話機の動作を示す説明図である。
【図８】本発明の第３の実施形態による携帯電話機の動作を示す説明図である。
【図９】図８の携帯電話機の動作を示すフローチャートである。
【符号の説明】
【００６６】
１…携帯電話機、２…アンテナ、３…通信部、４…音声入出力部、４ａ…スピーカ、４ｂ…マイク、５…キー操作部、６…表示部、７…メモリ、８…電源部、９…開閉検知部、１０…制御部、１１…カメラ、１２…赤外線通信部、２１，２２…筺体、３１，３２，３２ａ，３２ｂ，３３…アイコン、４０…表示データ。
【図１】
2010045454.tif 000003
【図２】
2010045454.tif 000004
【図３】
2010045454.tif 000005
【図４】
2010045454.tif 000006
【図５】
2010045454.tif 000007
【図６】
2010045454.tif 000008
【図７】
2010045454.tif 000009
【図８】
2010045454.tif 000010
【図９】
2010045454.tif 000011